(57)【特許請求の範囲】
【請求項１】
実行メカニズム（８）及び連結メカニズム（９）を含む、散布ヘッド（１）と、
実行突起（３）及び連結突起（１０）を含む、容器（２）と、
を備える、エアゾール散布器であって、
前記連結メカニズム（９）が解除可能に前記連結突起（１０）と係合して前記散布ヘッド（１）を前記容器（２）に取り付けることによって、前記実行突起（３）が前記実行メカニズム（８）と係合してエアゾール散布器を作動可能状態にし、
前記実行メカニズム（８）が、下方に付勢されたカム（５）、制御回路（１２）、及び前記制御回路（１２）をスイッチングするスイッチ（１１）を備え、
前記散布ヘッド（１）が前記容器（２）に取り付けられると、前記カム（５）が上方に移動されて前記スイッチ（１１）と係合する、
エアゾール散布器。
【請求項２】
前記カム（５）が上方に移動されることによって前記スイッチ（１１）と横方向に係合することにより、エアゾール散布器を作動可能状態にする、請求項１に記載のエアゾール散布器。
【請求項３】
前記カム（５）が上方に移動されることによって前記スイッチ（１１）と縦方向に係合することにより、エアゾール散布器を作動可能状態にする、請求項１に記載のエアゾール散布器。
【請求項４】
前記連結突起（１０）が弁（４）を備える、請求項１〜３のいずれか一項に記載のエアゾール散布器。
【請求項５】
前記実行突起（３）が、前記容器（２）に取り付けられるキャップ（１６）を備える、請求項１〜４のいずれか一項に記載のエアゾール散布器。
【請求項６】
前記連結突起（１０）が、前記実行突起（３）によって少なくとも部分的に包囲されていると共に、前記連結メカニズム（９）の対応するねじ切りに取り付けるためのねじ切りを含む、請求項１〜５のいずれか一項に記載のエアゾール散布器。
【請求項７】
下方に付勢されたカム（５）、制御回路（１２）、及び前記制御回路（１２）をスイッチングするスイッチ（１１）を含む、実行メカニズム（８）と、連結メカニズム（９）とを含む、散布ヘッド（１）、を備える、エアゾール散布器であって、
前記連結メカニズム（９）が解除可能に容器（２）上の連結突起（１０）と係合して前記散布ヘッド（１）を前記容器（２）に取り付けるように構成されていることによって、前記容器（２）上の実行突起（３）が前記カム（５）を上方に移動させ、
前記散布ヘッド（１）が前記容器（２）に取り付けられてれ前記カム（５）が上方に移動されることによって前記スイッチ（１１）と係合することにより、エアゾール散布器を作動可能状態にする、
エアゾール散布器。
【請求項８】
前記カム（５）が、前記容器（２）が取り外されると、前記スイッチ（１１）から離れるように構成されていることによって、エアゾール散布器を作動不可能状態にする、請求項７に記載のエアゾール散布器。
【請求項９】
前記連結突起（１０）の周辺に位置すると共に前記実行突起（３）によって少なくとも部分的に包囲されている弁（４）を備える、請求項８に記載のエアゾール散布器。
【発明の詳細な説明】
【技術分野】
【０００１】
本発明は、エアゾール散布器に関し、より詳細には、選択的に起動されて自動的にエアゾールを散布することのできるエアゾール散布器に関するが、これに限定されない。
【背景技術】
【０００２】
様々な形態のエアゾール散布器が知られている。例えば、国際公開第９５／１９３０４号には、流体で供給される流動性物質（例えば、防虫剤、空気清浄剤、又は消臭剤）を散布する自動エアゾール散布器について報告されている。一般的に、このような散布器は、散布ヘッドと、流動性物質を収容する詰め替え容器との、少なくとも２つの部分から形成されている。
【０００３】
このようなエアゾール散布器は、いったん起動されると、停止されるまで、又は充電が切れるまで、又は流動性材料がなくなるまで、蒸気の噴出として、流動性物質を断続的に放出する。
【０００４】
しかしながら、この散布メカニズムは、いったん起動されると、詰め替え容器が散布ヘッドに取り付けられているかいないかに関わらず、周期的に起動する。これは、起動手段（例えば、スイッチ又はボタン）が誤って押された場合に起こり得る。この結果、散布メカニズムは時間と共に損耗し、詰め替え容器だけでなくユニット全体の交換が必要となる。
【先行技術文献】
【特許文献】
【０００５】
【特許文献１】国際公開第９５／１９３０４号パンフレット
【発明の概要】
【発明が解決しようとする課題】
【０００６】
本発明の目的は、上記欠点のうちのいくつかを克服する、若しくは少なくとも改善する、或いは少なくとも一般の人々に有用な選択肢を与える、エアゾール散布器を提供することにある。
【０００７】
本発明の他の目的は、単なる例として述べられる以下の説明から明らかとなり得る。
【課題を解決するための手段】
【０００８】
広義には、本発明の一態様は、加圧容器と結合させるのに適した散布ヘッドを備え、この加圧容器には、自動エアゾール散布器を起動することのできる作動可能状態にする環状部（collar）が嵌合される。
【０００９】
広義には、本発明の一態様は、散布ヘッドに取り付けて加圧された中身を放出する加圧容器を備え、この容器は、
容器の頂面から延出しており、散布ヘッドが容器に連結されて起動されると、散布ヘッドの制御下において中身が通過して放出される且つ放出され得る、散布ヘッド連結突起と、
容器の頂面から延出しており、作動可能状態にあるとき、或いは、他の制御入力によって、散布ヘッドが起動されると、容器の中身が散布ヘッドを介して容器から散布され得るように、散布ヘッドの実行メカニズムを作動させるよう意図された且つ作動させることのできる、実行突起と、
を備える。
【００１０】
一実施形態では、連結突起は、容器の頂面から突出しており、散布ヘッドの連結メカニズムの相補的開口部と噛合する。連結メカニズムのこの相補的開口部は、ねじ切りを含むのが好ましい。この連結突起は、弁を備えるのがより好ましい。
【００１１】
一実施形態では、実行突起は、連結突起を少なくとも部分的に包囲する。この実行突起は、連結突起を完全に包囲するのが好ましい。この実行突起は、連結突起を曲線状に包囲するのがより好ましい。
【００１２】
一実施形態では、実行突起は、弁キャップと一体形成されている。
【００１３】
一実施形態では、実行突起は、加圧容器の頂面上に嵌合される。この実行突起は、連結突起によって、所定位置に固定されるのが好ましい。この実行突起は、連結突起によって、加圧容器の頂面上に固定されるのがより好ましい。
【００１４】
一実施形態では、実行メカニズムは、加圧容器が散布ヘッドと完全に連結すると、直接的に或いは間接的に実行突起に接触する。この連結によって実行メカニズムが移動することにより、散布ヘッドが作動可能状態になるのが好ましい。この実行メカニズムは、カムであり、移動するとスイッチを作動させて散布ヘッドを作動可能状態にするのがより好ましい。
【００１５】
一実施形態では、実行メカニズムスイッチは、直接的に或いは間接的に印刷回路基板に接続されており、加圧容器が連結された後、カムが移動することによって、この実行メカニズムスイッチは、横方向に移動され、散布ヘッドをオン位置にする。カムは、下方に付勢されるのが好ましい。このカムは、バネによって下方に付勢されるのがより好ましい。
【００１６】
一実施形態では、散布ヘッドは、実行メカニズムとは別のスイッチ、ボタン、又はレバーによって起動される。この散布ヘッドは、スイッチによって起動されるのが好ましい。
【００１７】
広義には、本発明の一態様は、連結メカニズムと、この連結メカニズムを貫通するように設けられて流動性物質の制御放出を可能とする流体通路とを有する、散布ヘッドを、アセンブリ、コンビネーション、又はキットとして備える。加圧容器は、連結メカニズム内に連結されるか、若しくは連結メカニズム内に連結することができ、起動されると、この容器から流動性物質を放出する。散布ヘッド及び容器は、容器の連結突起から始まり散布ヘッドと連動する連動機構を有し、この連動によって直接的に容器からの流動性物質を散布するか、或いは、散布ヘッドへの他の制御入力によって容器からの流動性物質を散布ヘッドから放出する。
【００１８】
一実施形態では、容器の連結突起は、散布ヘッドと相補的に連動して連結する。加圧容器連結突起と散布ヘッド連結メカニズムとは、相補的なねじ結合によって連結されるのが好ましい。
【００１９】
一実施形態では、加圧容器の頂面からの実行突起は、散布ヘッドの対応する機構と噛合する。この実行突起は、連結突起を部分的に或いは完全に包囲し、直接的に或いは間接的に散布ヘッドの実行メカニズムに接触するのが好ましい。この実行突起は、加圧容器が散布ヘッドと連結されると、散布ヘッド実行メカニズムを上方に移動させるのがより好ましい。
【００２０】
一実施形態では、加圧容器が散布ヘッドと連結することによって、散布ヘッド及び加圧容器の連動機構が接触し、アセンブリが作動可能状態になる。
【００２１】
一実施形態では、実行メカニズムは可動スイッチである。このスイッチは、散布ヘッドが加圧容器と連結すると、加圧容器の実行突起によって上方に移動される、この実行メカニズムは、（好ましくはバネによって）下方に付勢されるのが好ましい。この実行メカニズムは、カム及びスイッチを備えるのがより好ましい。
【００２２】
一実施形態では、実行メカニズムは、カム及び起動可能スイッチである。加圧容器が散布ヘッドと連結することによってカムが移動すると、実行突起がカムを上方に移動させ、これにより、スイッチが横方向に移動して、アセンブリが作動可能状態になる。スイッチは、印刷回路基板に接続された移動可能部材を備えるのが好ましい。カムは、上方に移動するとスイッチに接触し、スイッチを横方向に移動させるのがより好ましい。
【００２３】
広義には、本発明の一態様は、相補的な加圧容器の連結機構を備える。この連結機構は、連結された容器から散布ヘッドの制御下において放出された流体を通すことができる。加圧容器には、少なくとも１つの実行機構が設けられており、この実行機構は、散布ヘッドの部分と連動することに依存している容器の連結機構を包囲するよう曲線状にされている。
【００２４】
広義には、本発明の一態様は、
１．連結メカニズム、流体通路、及び実行メカニズムを備える散布ヘッドと、流動性材料を収容し連結突起及び実行突起を備える加圧容器とを、始動させる若しくは連結するステップと、
２．散布ヘッドと加圧容器とを連結すると、実行突起が直接的に或いは間接的に実行メカニズムに接触し、これにより、実行メカニズムが上方に移動するステップと、
３．実行メカニズムが上方に移動することによって、スイッチが起動して散布ヘッドを作動可能状態にするステップと、
４．散布ヘッドが起動して、流体通路を介して散布ヘッドから流動性材料を放出させるステップと、
を備える、加圧容器から環境中へ流動性材料を導く方法を備える。
【００２５】
一実施形態では、実行メカニズムは、スイッチを起動させるカムである。カムは、スイッチを横方向に移動させるのが好ましい。このカムは、直接的に実行突起に接触するのがより好ましい。一実施形態では、散布ヘッドと加圧容器は、ねじ切りを用いて連結する。
【００２６】
一実施形態では、カムが上方に移動することによって、印刷回路基板に接続されたスイッチが横方向に移動する。スイッチが移動することによって、散布ヘッドが作動可能状態になる。一実施形態では、加圧容器は、散布ヘッドと完全に連結されたときのみ、散布ヘッドを作動可能状態にする。加圧容器が連結突起及び連結メカニズムを介して散布ヘッドに完全に螺合されたときに、完全連結がもたらされるのが好ましい。
【００２７】
一実施形態では、カムは、下方に付勢される。この付勢は、バネ作用によって調整されるのが好ましい。
【００２８】
本発明の他の態様は、単なる例として、添付の図面を参照しながら述べられる、以下の説明から明らかとなり得る。
【００２９】
本明細書中で用いられている「及び／又は」という語は、「及び」、「又は」、或いはその両方を意味する。
【００３０】
本明細書中で用いられている名詞の後の「（複数の場合あり）（(s)）」は、その名詞の複数形及び／又は単数形を意味する。
【００３１】
本明細書中で用いられている「備えている（comprising）」という語は、「〜で少なくとも一部が構成されている（consisting at least in part of）」を意味する。この語を含む本明細書中の記述を解釈する際、各記述においてこの語の後にくる機構は全てなくてはならないが、他の機構もあってよい。「備える（comprise）」及び「備えられる（comprised）」のような関連語も、同様に解釈されるべきである。
【００３２】
また、本発明は、広く、本出願の本明細書中で個別に又はまとめて言及した若しくは示した部分、要素、及び機構、並びに、これらの部分、要素、又は機構のうちのいずれか２つ以上から成るいずれか若しくは全ての組み合わせで構成されると見なされてもよく、本明細書中では、本発明が関連する当業界では既知の等価物を有する特定の完全体（integers）について述べたが、このような既知の等価物は、個別に説明されたかのように本明細書中に組み込まれると考えられる。
【００３３】
次に、本発明を、単なる例として、以下の図面を参照しながら説明する。
【図面の簡単な説明】
【００３４】
【図１Ａ】従来技術の加圧容器の等角図である。
【図１Ｂ】加圧容器の一実施形態の等角図である。
【図２】加圧容器の一実施形態に連結された散布ヘッドの一実施形態の部分断面略図である。
【図３】加圧容器の別の実施形態と連結関係にある、図２の散布ヘッドの部分断面略図である。
【図４】加圧容器の更に別の実施形態と連結関係にある、図２の散布ヘッドの部分断面略図である。
【図５】図２の加圧容器と連結関係にある、散布ヘッドの別の実施形態の部分断面略図である。
【図６Ａ】作動不可能状態にある実行メカニズム及び実行突起を示す略図である。
【図６Ｂ】作動可能状態にある実行メカニズム及び実行突起を示す略図である。
【発明を実施するための形態】
【００３５】
加圧容器２と結合させるのに適した散布ヘッド１について広く述べる。この加圧容器２には、散布ヘッド１を起動することのできる作動可能状態にする環状の実行突起３が嵌合される。
【００３６】
散布ヘッド１に取り付けて加圧された中身を放出する加圧容器２について、本明細書中に説明する。この容器２は、
容器２の頂面６から延出しており、散布ヘッド１が加圧容器２に連結されて起動されると、散布ヘッド１の制御下において中身が通過して放出される且つ放出され得る、散布ヘッド連結突起１０と、
加圧容器２の頂面６から延出しており、作動可能状態にあるとき、或いは、他の制御入力によって、散布ヘッド１が起動されると、容器２の中身が散布ヘッド１を介して容器２から散布され得るように、散布ヘッド１の実行メカニズム８を作動させるよう意図された且つ作動させることのできる、実行突起３と、
を備える。
【００３７】
一実施形態では、連結突起１０は、容器２の頂面６から突出しており、散布ヘッド１の相補的連結メカニズム９と噛合する。この相補的連結メカニズム９は、ねじ切りであるのが好ましい。この連結メカニズム９は、弁４を備えるのがより好ましい。
【００３８】
一実施形態では、実行突起３は、連結突起１０を少なくとも部分的に包囲する。この実行突起３は、連結突起１０を完全に包囲するのが好ましい。この実行突起３は、連結突起１０を曲線状に包囲するのがより好ましい。
【００３９】
一実施形態では、実行突起３は、加圧容器２の頂面６上に嵌合される。この実行突起３は、連結突起１０によって、所定位置に固定されるのが好ましい。この実行突起３は、連結突起１０によって、加圧容器２の頂面６上に固定されるのがより好ましい。
【００４０】
一実施形態では、実行突起３は、弁キャップ１６と一体形成されている。
【００４１】
一実施形態では、実行メカニズム８は、加圧容器２が散布ヘッド１と完全に連結すると、直接的に或いは間接的に実行突起３に接触する。この連結によって実行メカニズム８が移動することにより、散布ヘッド１が作動可能状態になるのが好ましい。この実行メカニズム８は、カム５を備え、移動するとスイッチ１１を作動させて散布ヘッド１を作動可能状態にするのがより好ましい。
【００４２】
一実施形態では、実行メカニズムスイッチ１１は、直接的に或いは間接的に印刷回路基板１２に接続されており、加圧容器２が連結された後、カム５が移動することによって、この実行メカニズムスイッチ１１は、横方向に移動され、散布ヘッド１を作動可能状態にする。カム５は、下方に付勢されるのが好ましい。このカム５は、バネ（図示せず）によって下方に付勢されるのがより好ましい。
【００４３】
一実施形態では、散布ヘッド１は、実行メカニズム８のものとは別個のスイッチ、ボタン、又はレバー１３などによって起動される。この散布ヘッド１は、スイッチ１３によって起動されるのが好ましい。
【００４４】
連結メカニズム９と、それを貫通するように設けられて流動性物質の制御放出を可能とする流体通路とを有する、散布ヘッド１を含むアセンブリ、コンビネーション、又はキットについて、本明細書中に説明する。加圧容器２は、連結メカニズム９内に連結されるか、若しくは連結メカニズム９内に連結することができ、起動されると、この容器２から流動性物質を放出する。散布ヘッド１及び容器２は、連結突起１０から始まり散布ヘッド１と連動する連動機構を有し、この連動によって直接的に容器２からの流動性物質を散布するか、或いは、散布ヘッド１への他の制御入力によって容器２からの流動性物質を散布ヘッド１から放出する。
【００４５】
一実施形態では、連結突起１０は、散布ヘッド１と相補的に連動して連結する。加圧容器連結可能突起１０と散布ヘッド連結メカニズム９とは、相補的なねじ結合によって連結するのが好ましい。
【００４６】
一実施形態では、連動機構は、加圧容器２の頂面６から延出し散布ヘッド１と噛合する、実行突起３を備える。この実行突起３は、直接的に或いは間接的に散布ヘッド１の連結メカニズム９に接触する、連結突起１０を部分的に或いは完全に包囲するのが好ましい。この実行突起３は、加圧容器２が散布ヘッド１と連結されると、実行メカニズム８を上方に移動させるのがより好ましい。
【００４７】
一実施形態では、加圧容器２が散布ヘッド１と連結することによって、散布ヘッド１及び加圧容器２の連動機構が接触し、アセンブリが作動可能状態になる。
【００４８】
一実施形態では、散布ヘッド実行メカニズム８は、散布ヘッド１が加圧容器２と連結すると、加圧容器２の実行突起３によって上方に移動される、可動スイッチである。この実行メカニズム８は、（好ましくはバネによって）下方に付勢されるのが好ましい。この実行メカニズム８は、カム５及びスイッチ１１を備えるのがより好ましい。
【００４９】
一実施形態では、散布ヘッド１の実行メカニズム８は、カム５及び起動可能スイッチ１１である。加圧容器２が散布ヘッド１と連結することによってカム５が移動すると、実行突起３によってカム５が上方に移動し、これにより、スイッチ１１が横方向に移動して、アセンブリが作動可能状態になる。スイッチ１１は、印刷回路基板１２に接続された移動可能部材を備えるのが好ましい。カム５は、上方に移動するとスイッチ１１に接触し、スイッチ１１を横方向に移動させるのがより好ましい。
【００５０】
連結された容器から散布ヘッド１の制御下において放出された流体を通すことのできる、加圧容器２の連結突起１０について、本明細書中に説明する。散布ヘッド１は、少なくとも１つの連結メカニズム９を含む。加圧容器２は、その連結可能機構１０を包囲する曲線部分によって散布ヘッド１の部分と連動することに依存している。
【００５１】
１．連結メカニズム９、流体通路（図示せず）、及び実行メカニズム８を備える散布ヘッド１と、流動性材料を収容し連結突起１０及び実行突起３を備える加圧容器２とを、始動させる若しくは連結するステップと、
２．散布ヘッド１と加圧容器２とを連結すると、実行突起３が直接的に或いは間接的に実行メカニズム８に接触し、これにより、実行メカニズム８が上方に移動するステップと、
３．実行メカニズム８が上方に移動することによって、スイッチ１１が起動して散布ヘッド１を作動可能状態にするステップと、
４．散布ヘッド１が起動して、流体通路を介して散布ヘッド１から流動性材料を放出させるステップと、
を備える、加圧容器２から環境中へ流動性材料を導く方法について、本明細書中に説明する。
【００５２】
一実施形態では、実行メカニズム８は、スイッチ１１を起動させるカム５を備える。カム５は、スイッチ１１を横方向に移動させるのが好ましい。このカム５は、直接的に実行突起３に接触するのがより好ましい。一実施形態では、散布ヘッド１と加圧容器２は、ねじ切りを用いて連結する。
【００５３】
一実施形態では、カム５が上方に移動することによって、印刷回路基板１２に接続されたスイッチ１１が横方向に移動する。スイッチ１１が横方向に移動することによって、散布ヘッド１が作動可能状態になる。
【００５４】
一実施形態では、加圧容器２は、散布ヘッド１と完全に連結されたときのみ、散布ヘッド１を作動可能状態にする。加圧容器２が連結突起１０及び連結メカニズム９を介して散布ヘッド１に完全に螺合されたときに、完全連結がもたらされるのが好ましい。
【００５５】
一実施形態では、カム５は、下方に付勢される。この付勢は、バネ作用によって調整されるのが好ましい。
【００５６】
本発明の利点の１つは、確実に、実行突起３が嵌合されていない加圧容器２は、散布ヘッド１を起動させることができない、という点である。また、これにより、確実に、加圧容器２が正しく嵌合されたときのみ、散布ヘッド１は作動し、加圧容器２が取り付けられなければ、散布ヘッド１は不用意に且つ無駄に作動せず、実行突起３を備えた特別構成の加圧容器２のみを散布ヘッド１と組み合わせて用いることによって、散布ヘッド１を化学反応又は機械的損傷から保護することができる。
【００５７】
図２は、本発明の散布ヘッド１及び加圧容器２を示している。図１Ｂに示されているように、この加圧容器２は、その上面６上に配置された環状の実行突起３を含む。
【００５８】
図１Ｂに示されているように、この実行突起３は、容器弁４の周囲に配置され得る。当然のことながら、実行メカニズム８を起動させるのに、環状部が示されているが、他のメカニズムを用いてもよい。例えば、部分的包囲部若しくは直立部、傾斜部、又は突起であってよい。
【００５９】
図２は、実行突起３を含む加圧容器２に嵌合されて結合された、散布ヘッド１の部分断面図である。図２は、更に散布ヘッド１の実行メカニズム８を示している。
【００６０】
この実行メカニズム８は、カム動作として、図２〜図６に示されている。しかし、当然のことながら、これは本発明を実施することのできる単なる一実施形態にすぎない。他の実行メカニズム８は、スイッチ１１に接触することによって、或いは、スイッチ１１が実行突起３に直接的に取り付けられていることによって、直接的にスイッチ１１を起動させる実行突起３を含む。
【００６１】
図２〜図６に示されているように、この実行メカニズム８は、例えばバネによって下方位置に付勢されているカム５を備える。このカム５は、加圧容器２が散布ヘッド１に取り付けられると、上方に移動する。取り付け方法の１つとしては、ねじ切りが用いられる。カム５が上方に移動すると、スイッチ１１が横方向に移動する。カム５は、上方に移動するとスイッチ１１を内側へオン状態に移動させるように設計されている。スイッチ１１は、内側へ移動されると、電気回路基板１２を起動させて自動散布器電磁弁１４に電力を供給し、次に、この電磁弁１４によって、容器２の中身が噴霧ノズル１５を通って噴霧物若しくは霧状のものとして大気中に流れる。
【００６２】
図３は、加圧容器２の頂部上に嵌合されるキャップ１６の部分断面図である。このキャップ１６は、実行メカニズム８を起動させて散布ヘッド１を作動可能状態にする似たような実行突起３が、その設計に組み込まれている。
【００６３】
図４は、本発明の別の実施形態の部分断面図であり、この実施形態では、実行突起３が容器２と一体形成されている。この実行突起３も、実行メカニズム８を起動させて散布ヘッド１を作動可能状態にする。
【００６４】
図５は、別のスイッチメカニズムの部分断面図であり、このスイッチメカニズムによって、カム５はスイッチ１１に対して垂直に上方に移動され、これにより、散布ヘッド１が作動可能状態にされる。
【００６５】
図６は、実行突起３の動作が実行メカニズム８に与える影響を明示している略図である。図６Ａでは、加圧容器２が散布ヘッド１に完全には螺合されておらず、実行突起３はスイッチ１１を起動させていない。図６Ｂでは、加圧容器２が散布ヘッド１に完全に螺合されており、実行突起３は上方に移動されてスイッチ１１を起動させている。
【００６６】
各加圧容器２は、流動性材料が通過することのできる開口部を有する。一実施形態では、加圧容器２の弁４が、この開口部の外側に嵌合され、圧迫処理によって加圧容器２上に固定される。
【００６７】
散布ヘッド１は、いったん起動されると、噴霧手順を自動的に繰り返すことができ、これにより、流動性材料は、加圧容器２から散布ヘッド１内へ連続的に流れることができる。
【００６８】
本発明は、以下のような、互いに独立していても同時並行していてもよい、いくつかの利点をユーザにもたらす。
１．この自動散布器は、容器２がなければ作動しない。本発明がなければ、自動散布器は、容器２が結合されていない状態で作動し続けることができ、ユーザに利点をもたらさない。ゆえに、電池エネルギーが不必要に使用され、散布メカニズムが余分に且つ不必要に損耗する。
２．この散布器を作動させるには、容器２を散布ヘッド１に正しく且つ完全に螺合させることも必要とされる。容器２は、散布ヘッド１に完全に螺合されていない場合、誤って嵌合されて、その中身を環境中へ漏出させる可能性がある。
３．本発明は、この自動エアゾール散布器に未承認のエアゾール容器が嵌合できることを制限する。未承認エアゾール容器の中身は、この自動エアゾール散布器の正しい動作及び／又は性能に損傷を与え得る若しくは影響を及ぼし得る。
４．本発明は、コストが低く、充填作業中にエアゾール容器に容易に嵌合される。
【００６９】
上記説明において、既知の等価物を有する要素又は完全体について言及したが、このような等価物は、個別に説明されたかのように含まれる。
【００７０】
例として且つ特定の実施形態に関して本発明を説明してきたが、当然のことながら、本発明の範囲又は精神を逸脱しない限り、修正及び／又は改良を行ってもよい。
【産業上の利用可能性】
【００７１】
適切に構成されたエアゾール容器が完全に装填されているときのみ作動する、エアゾール散布器を提示してきた。このエアゾール散布器は、エアゾール容器がないと作動不可能状態のままであるため、使用するエネルギーがより少なく、散布メカニズムの余分な損耗を制限する。
【００７２】
上記説明を考慮すれば、本発明に対する多数の修正点が当業者には明らかであろう。従って、この説明は、単なる例示と見なされ、当業者が本発明を行って使用すると共に本発明を実施する最良の形態を教示することができるようにする目的で提示されている。添付の特許請求の範囲内における全ての修正点に対する独占権は、明白に留保される。本明細書中に引用された特許、公開特許及び特許出願、並びにその他の参照文献は、参照によりその全体が本明細書中に組み込まれる。
【図１Ａ】
0005458087.tif 000002
【図１Ｂ】
0005458087.tif 000003
【図２】
0005458087.tif 000004
【図３】
0005458087.tif 000005
【図４】
0005458087.tif 000006
【図５】
0005458087.tif 000007
【図６Ａ】
0005458087.tif 000008
【図６Ｂ】
0005458087.tif 000009